(57)【特許請求の範囲】
【請求項１】
開口を備えた内部空間に飲料パックを挿入して保持する乳幼児用飲料パックホルダーであって、
シート状基材を重ねて、両側縁部が接着され、両側縁部以外の一辺を前記飲料パックの挿入用の前記開口とすると共に、他の一辺に底部が形成されており、
かつ、前記両側部に、前記飲料パックが挿入保持される内部空間の厚み方向の大きさを調整するまち部が設けられていて、
前記両側部の各側縁に、それぞれ前記各まち部と結合されたハンドル部が形成され、前記内部空間に前記飲料パックを収容し、前記各ハンドル部が両手でそれぞれ掴まれて互いに離間することで、向かい合う前記シート状基材の間に前記飲料パックを挟み込むように、前記まち部が前記内部空間の厚み方向の大きさを小さく変形する構成とした
ことを特徴とする、乳幼児用飲料パックホルダー。
【請求項２】
前記基材が、１枚または単一のシート状基材であり、その中央部を曲折して折り重ねることで、この曲折部が底部とされていると共に、前記両側縁部は、折り重ねた対向面が接着されていることを特徴とする、請求項１に記載の乳幼児用飲料パックホルダー。
【請求項３】
折り畳みの際に、前記底部の中心に沿った曲折線が内側に入り込むことを特徴とする、請求項１または２のいずれかに記載の乳幼児用飲料パックホルダー。
【請求項４】
前記各ハンドル部が、使用者の手の一部を差し入れる開口を有しており、この開口の内周の一部が、前記まち部に入り込むように形成されていることを特徴とする、請求項１ないし３のいずれかに記載の乳幼児用飲料パックホルダー。
【請求項５】
開口を備えた内部空間に飲料パックを挿入して保持する乳幼児用飲料パックホルダーと、内部に飲料を収容し前記飲料パックホルダーにより保持されるようにした飲料パックとを含む飲料セットであって、
前記乳幼児用飲料パックホルダーが、
シート状基材を重ねて、両側縁部が接着され、両側縁部以外の一辺を前記飲料パックの挿入用の前記開口とすると共に、他の一辺に底部が形成されており、
かつ、前記両側部に、前記飲料パックが挿入保持される内部空間の厚み方向の大きさを調整するまち部が設けられていて、
前記両側部の各側縁に、それぞれ前記各まち部と結合されたハンドル部が形成され、前記内部空間に前記飲料パックを収容し、前記各ハンドル部が両手でそれぞれ掴まれて互いに離間することで、向かい合う前記シート状基材の間に前記飲料パックを挟み込むように、前記まち部が前記内部空間の厚み方向の大きさを小さく変形する構成とした
ことを特徴とする、飲料セット。
【発明の詳細な説明】
【０００１】
【発明の属する技術分野】
本発明は、たとえば紙製の飲料等のパックを保持するための飲料パックホルダーと、飲料パックホルダーと飲料パックに収容された飲料とのセットに関するものである。
【０００２】
【従来の技術】
図６は、現在、広く使用されている飲料パックの一例を示す概略斜視図である。
図において、飲料パック１は、少なくとも内面を防水処理した紙製の容器２を備えており、容器２には、お茶やジュース、牛乳等の液体飲料が収容されている。
このような容器２には、予め簡易に開くように設けた小さな開口が備えられており、この小さな開口にストロー３を挿通することにより、容器２を手で保持して、ストロー３を口に含み、容器２の内部に収容された飲料を摂取することができるようにされている。
【０００３】
このような飲料パック１は軽量で持ち運びに便利であり、廃棄の問題も少ないので、広く使用されている。また、図６とは形状が異なるが、例えば、筒状もしくは袋状に形成された柔軟なアルミ製の飲料パック等も使用されている。
【０００４】
【発明が解決しようとする課題】
ところで、上述のような、飲料パック１等は、容器２が紙製等であるため、ある程度、可撓性を有している。このような飲料パック１から、飲料を飲む場合に、大人は容器２を掴む力が強くなりすぎないように、気をつけて掴むことができるので、問題が発生しにくい。
しかし、年寄りや、乳幼児等の子供は、容器２を掴む力の加減をコントロールすることが難しく、しばしば強過ぎる力で容器２を掴むと、容器２が変形してつぶれ、内部に収容されている飲料がストロー３の上端から噴出して、周囲を汚してしまうという問題があった。
【０００５】
本発明は、上述の課題を解決するためになされたもので、収容した飲料を噴出させることなく、飲料パックを保持することができ、特に、簡単な構造ながら、異なる大きさの飲料パックに適合できる飲料パックホルダーと、飲料パックに収容した飲料と、飲料パックホルダーをセットした飲料セットを提供することを目的としている。
【０００６】
【課題を解決するための手段】
上記目的は、請求項１の発明によれば、開口を備えた内部空間に飲料パックを挿入して保持する乳幼児用飲料パックホルダーであって、シート状基材を重ねて、両側縁部が接着され、両側縁部以外の一辺を前記飲料パックの挿入用の前記開口とすると共に、他の一辺に底部が形成されており、かつ、前記両側部に、前記飲料パックが挿入保持される内部空間の厚み方向の大きさを調整するまち部が設けられていて、前記両側部の各側縁に、それぞれ前記各まち部と結合されたハンドル部が形成され、前記内部空間に前記飲料パックを収容し、前記各ハンドル部が両手でそれぞれ掴まれて互いに離間することで、向かい合う前記シート状基材の間に飲料パックを挟み込むように、前記まち部が前記内部空間の厚み方向の大きさを小さく変形する構成とした、乳幼児用飲料パックホルダーにより、達成される。
【０００７】
本発明に使用されるシート状基材は、例えば、ある程度の厚みのある一枚の紙製であったり、薄い紙等を二枚以上重ねてシート状としたものでもよい。また、シート状の基材は、紙でなくても、ある程度の変形が可能なものであれば、利用できる。
そして、一枚もしくは二枚以上のシート状基材が重ねられて、両側縁部が接着されると、筒状となる。この状態で、両側縁部以外の一辺は閉じられること無く挿入用開口とされ、残る辺に底として機能する底部を形成して、開口を備えた内部空間を形成する。
【０００８】
また、接着された両側縁部には、内部空間の厚み方向の大きさを調整するまち部を設けて、このまち部に、前記ハンドル部を結合しているので、前記内部空間に飲料パックを収容し、これら各ハンドル部が、使用者の両手でそれぞれ掴まれて、例えば離間されると、前記まち部はつぶれるように変形して、二枚のシート状基材の間に飲料パックを挟み込む。これにより飲料パックが脱落しないように保持される。また、飲料パックの厚み方向の大きさが大きい場合は、その大きさに合わせて、前記まち部が変形されるので、異なる大きさの飲料パックに対応させることができる。
特に、飲料パックを使用して、飲むことを始める生後９か月程度の乳幼児は、対象物である飲料パックを把持して、ストローを口唇まで運ぶことはできるものの、手で掴んで保持する場合の握る力の調整はできないため、ハンドル部を使用させる利点は高い。
【０００９】
請求項２の発明は、請求項１の構成において、前記基材が、１枚または単一のシート状基材であり、その中央部を曲折して折り重ねることで、この曲折部が底部とされていると共に、前記両側縁部は、折り重ねた対向面が接着されていることを特徴とする。
請求項２の構成によれば、１枚の基材により、全体を形成できるので、製造が容易である。また、前記両側縁部は、折り重ねた対向面が接着される構造とすることで、ここにハンドル部を設けると、強度が向上し、使用者が掴む上で、必要な剛性が得られる。
【００１０】
請求項３の発明は、請求項１または２のいずれかの構成において、折り畳みの際に、前記底部の中心に沿った曲折線が内側に入り込むことを特徴とする。
請求項３の構成によれば、これにより、携帯や収納時に、底部が内側に入り込む分全体の大きさを小さくすることができる。
また、底部が内側に入り込む機能を利用すると、例えば、高さの低い飲料パックをホルダーに収容して飲用する場合に、底部が飲料パックの高さを補完するように働き、飲料パックがホルダー内にもぐり込むことが防止できる。
【００１１】
請求項４の発明は、請求項１ないし３のいずれかの構成において、前記各ハンドル部が、使用者の手の一部を差し入れる開口を有しており、この開口の内周の一部が、前記まち部に入り込むように形成されていることを特徴とする。
請求項４の構成によれば、前記まち部は、上述したように、変形可能な箇所であることから、前記両側縁部の接着部から除外された領域である。ハンドル部の開口が、このまち部に入り込むようにされていることで、使用者は、厚み方向に広がるまち部に手を添えて保持することができるので、保持状態が安定する。
【００１４】
また、上記目的は、請求項５の発明によれば、開口を備えた内部空間に飲料パックを挿入して保持する乳幼児用飲料パックホルダーと、内部に飲料を収容し前記飲料パックホルダーにより保持されるようにした飲料パックとを含む飲料セットであって、前記乳幼児用飲料パックホルダーが、シート状基材を重ねて、両側縁部が接着され、両側縁部以外の一辺を前記飲料パックの挿入用の前記開口とすると共に、他の一辺に底部が形成されており、かつ、前記両側部に、前記飲料パックが挿入保持される内部空間の厚み方向の大きさを調整するまち部が設けられていて、前記両側部の各側縁に、それぞれ前記各まち部と結合されたハンドル部が形成され、前記内部空間に前記飲料パックを収容し、前記各ハンドル部が両手でそれぞれ掴まれて互いに離間することで、向かい合う前記シート状基材の間に前記飲料パックを挟み込むように、前記まち部が前記内部空間の厚み方向の大きさを小さく変形する構成とした、飲料セットにより、達成される。
【００１５】
請求項５の発明によれば、飲料ホルダーは、請求項１における作用を発揮するため、飲料パック入り飲料を購入した場合に、これと共に、本発明の飲料ホルダーが提供されるから、子供等の年齢条件等を問わずに、販売された飲料の飲用が可能となる。
【００１６】
【発明の実施の形態】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１７】
図１は、本発明の第１の実施形態に係る飲料パックのホルダーを示す概略斜視図であり、図２は、その底面図、図３は、その構造を説明するための展開図である。
図において、飲料パックのホルダー（以下、「ホルダー」という）１０は、上端に挿入用の開口１５を備え、この開口１５から図６で説明したような飲料パック（紙製以外のものも含む）を本体１１の内部空間Ｓ内に挿入して保持するものである。
【００１８】
このホルダー１０は、飲料パックを前面側で保持するための保持壁１３と、飲料パックを後面側で保持するための保持壁１４を有する本体１１を備えている。この保持壁１３と保持壁１４との間には、上述した内部空間Ｓが形成されており、これら保持壁１３と保持壁１４の両側には、それぞれまち部１２，１２が形成されており、各まち部１２，１２のそれぞれの外側，すなわちホルダー１０の両側縁部が接着されている。
【００１９】
また、図２に示されているように、ホルダー１０の底には、底部１７が形成されており、内部空間Ｓに収容した飲料パックが内部空間Ｓから下に脱落しないように支持するようになっている。
また、ホルダー１０の上述した接着された両側縁部には、それぞれ、使用者が手により把持するためのハンドル部１６，１６が形成されている。各ハンドル部１６，１６は種々の形態が考えられるが、図示の場合には、外側が曲線状にされており、内部にリング状の開口２１，２２がそれぞれ形成されていることで、ホルダー１０の両側に突出するつかみやすい把手とされている。
【００２０】
図３は、この実施形態のホルダー１０を一枚または単一のシート状基材２０により形成する場合を示す展開図である。
図において、シート状基材２０は１枚の材料で形成されていてもよく、複数の枚数の同形のものとを積層して、図示するように単一のシート状基材２０としたものを使用してもよい。
【００２１】
ここで、シート状基材２０として適しているのは、比較的薄肉で、ある程度可撓性があり、例えば、後述するように、曲折部もしくは曲折線である折り線を設けて曲折できるものである。具体的には、比較的厚い紙製のシート材や、後述する不織布等の布製シート材、あるいは、ポリプロピレンやＰＥＴ（ポリエチレンテレフタレート等のプラスチック製シート、あるいはシリコンゴムやエラストマー等の弾性体によるシート等を単層で、もしくは積層して、あるいは、必要によりこれらを組み合わせて積層して使用することができる。
【００２２】
図３において、この実施形態では、シート状基材２０の外形を、例えば、図示のように形成する。この場合では、保護壁１３，１４となる部分が中央に比較的広い領域を占めるように設けられている。保護壁１４の両側には、折り線Ｌ４，Ｌ４を境界として、まち部半体１２ａ，１２ａが設けられている。各まち部半体１２ａ，１２ａの外側には、折り線Ｌ５，Ｌ５を境界として、ハンドル部半体１６ａ，１６ａが形成されている。
同様にして、保護壁１３の両側には、折り線Ｌ６，Ｌ６を境界として、まち部半体１２ｂ，１２ｂが設けられている。各まち部半体１２ｂ，１２ｂの外側には、折り線Ｌ７，Ｌ７を境界として、ハンドル部半体１６ｂ，１６ｂが形成されている。
【００２３】
上述した一方のハンドル部半体１６ａとハンドル部１６ｂは、後述するように重ね合わされる部分であり、この領域Ａ１とＡ２に接着剤が適用されて接着される接着領域または固定領域である。
同様にして、他方のハンドル部半体１６ａとハンドル部１６ｂは、後述するように重ね合わされる部分であり、この領域Ａ３とＡ４に接着剤が適用されて接着される接着領域または固定領域である。
【００２４】
これに対して、各まち部半体１２ａ，１２ａ，１２ｂ，１２ｂは接着されないで、図１及び図２に示すように、ホルダー１０の平面視または底面視において、三角形の２辺を形成するような外観となる。
ここで、領域Ａ１とＡ２を固定するのに、接着剤を利用せずに、面ファスナーを用いたり、凸部と受容孔でなる凹凸構造等による着脱式の固定手段を設けてもよい。これにより、挿入用開口を大きく開いて、内部空間Ｓ内に後述する飲料パックを挿入しやすくすることができる。
【００２５】
図２に示すように、両ハンドル部１６，１６を後述するように、使用者が把持して、例えば矢印Ａ，Ａに示すように離間されると、各まち部半体１２ａ，１２ａ，１２ｂ，１２ｂが互いになす角度θ，θが小さくなるように、まち部１２，１２はつぶれて変形し、向かい合う二枚のシート状基材である保持壁１３と保持壁１４の間に、後述ように飲料パックを挟み込む。これにより飲料パックが脱落しないように保持される。また、図２で示す方向Ｄと一致する飲料パックの厚み方向の大きさが大きい場合は、その大きさに合わせて、まち部１２，１２における角度θ，θが、大きくなるように変形されるので、図１の内部空間Ｓの厚み方向のサイズが変更される。これにより、異なる大きさの飲料パックに対して、自在に対応させることができる。
【００２６】
また、ハンドル部１６，１６には、使用者の手の一部を差し入れる開口２１，２２が形成されており（図１参照）、これと対応するように、図３の各ハンドル部半体には、輪状のリング半体が形成されている。この構造は、全てのハンドル部半体で同じであるから、図３のハンドル部半体１６ａについて説明すると、この実施形態では、ハンドル部半体１６ａには、縦方向に沿って長いリング半体２２ａが設けられている。このリング半体２２ａの一部として、例えば内周のほぼ半分が、まち部半体１２ａに入り込むように、まち部側リング半体２２ｃが形成されている。
【００２７】
さらに、図３において、保護壁１３と保護壁１４の間には、中央部がやや縮幅した形態で底部１７が形成されており、この中央部の最も幅の狭い部分に折り線Ｌ３が設定されている。この折り線Ｌ３は、ホルダー１０を折り畳む時に、折り線Ｌ３の箇所が図３の手前側に突出するように、折られることで、重なった保護壁１３と保護壁１４の間に、底部１７が入り込むことで、全体の大きさを小さくすることができるようになっている。
また、折り畳み状態で、保護壁１３と保護壁１４の間に、底部１７が入り込む性質を付与すると、後述するように、ホルダー１０に飲料パックを収容させた時には、飲料パックが載った底部１７が、保護壁１３と保護壁１４の間で水平な底面を形成し易くなり、使用時に、ホルダー１０を載置しやすくなる。
【００２８】
また、保護壁１３の内面には、仮接着部１８が形成されている。つまり、仮接着部１８は、このように、図１の内部空間Ｓに面した箇所に適宜形成される。この仮接着部１８は、内部空間Ｓに、後述するように収容された飲料パックと接触する箇所に設けられる。仮接着部１８は、これが設けられる領域に、接着力の弱い接着剤、例えば、広く使用されているアクリル系接着剤や、ホットメルト等の接着力の弱いものを塗布すること等により形成される。これにより、収容された飲料パックの表面に対して、仮に接着されて、図１のホルダー１０の開口１５が下を向いた場合等に、飲料パックが脱落しないように、仮止めするものである。このため、仮接着部１８は、内部空間Ｓから飲料パックを掴んで取り出す際には、あまり大きな力を必要とせず、飲料パックの表面の印刷や紙材を剥がさない程度の接着力となるように設けられる。
【００２９】
特に、図３に示すように、仮接着部１８を一箇所に形成した場合には、容易に設けることができる。
また、仮接着部１８は、ホルダー１０に飲料パックを保持した使用時だけでなく、携行時等においてホルダー１０を折り畳んだ場合には、仮接着部１８が対向する内部空間Ｓの内面に仮接着される。これにより、ホルダー１０を他端だ状態で保持することができ、かばん等の収容箇所において、不用意に開いて破損することを防止できる。また、仮接着部１８は、内部空間Ｓの内面で、保持壁１３，１４と対向しない箇所、例えばまち部１２の内面等に設けてもよい。
さらに、また、仮接着部１８のように接着剤等を使用せずに、これを設けるべき箇所の表面に凹凸や滑り止め加工等の摩擦力を高める加工を行うことで、仮固定部として機能させ、ホルダー１０に収容した飲料パックの脱落を防止するようにしてもよい。
【００３０】
このように、ホルダー１０は、一枚のシート基材２０を用いることで、これを図３のような形状に切断もしくは裁断する構成とすれば、製造が容易で、材料費も多く必要とせず、安価に製造できる。
尚、図３のような構造に限らず、例えば、保持壁１３と保持壁１４を分離された別々のシート基材で形成し、別体に形成したり、もしくは保持壁の１３，１４の一方に一体の底部１７で接続するような構成としてもよい。
【００３１】
ホルダー１０は、図３の状態から、折り線Ｌ１，Ｌ２をそれぞれ保持壁１３，１４が接近する方向に約９０度折り曲げることで、保持壁１３，１４が対向して、あるいは重なる位置に平行に立つようにされる。
次に保持壁１３の両側の折り線Ｌ６，Ｌ６と、保持壁１４の両側の折り線Ｌ４，Ｌ４をそれぞれ内方に折り曲げ、さらに、これらの外側の折り線Ｌ７，Ｌ７と、Ｌ５，Ｌ５を外方に折り曲げることで、各まち部１２，１２を形成する。そして、領域Ａ１とＡ２が重ねられ、領域Ａ３とＡ４が重ねられて接着されることで、図１のように組立られる。
【００３２】
また、ホルダー１０を折り畳む場合の第１の方法としては、図１の状態から、底部１７（図２及び図３参照）の折り線Ｌ３が内部空間Ｓ側に凸となるように折り畳まれ、各まち部１２，１２が図２の角度θ，θの角度をできる限り小さくするように変形されることで、厚み方向Ｄのサイズがきわめて小さくなり、携帯等に便利な大きさにされる。
また、ホルダー１０を折り畳む場合の第１の方法もしくは構成として、底部１７（図２及び図３参照）の折り線Ｌ３が内部空間Ｓ側ではなく、外部に向かって凸となるように折り畳まれるクセを予めつけておき、一方、各まち部１２，１２が保持壁１３と１４の間に入りこむようにしてもよい。
【００３３】
ここで、ホルダー１０は、例えば、本実施形態では、保持壁１３と１４の両側部にそれぞれまち部１２，１２が形成されており、各まち部は、保持壁１３と１４に接続する箇所に曲折部としての折り線Ｌ４とＬ６を有し、まち部１２の中間の各ハンドル部１６，１６が結合される箇所にも、曲折部としての折り線Ｌ５，Ｌ７を有している。
第２の方法では、図２において、各折り線Ｌ４とＬ６が曲折される内側の角度を９０度よりも小さくし、各折り線Ｌ５，Ｌ７が曲折される内側の角度θを１８０度よりも大きくする。これにより、ハンドル部１６，１６が互いに接近するように、各矢印Ａ，Ａとは反対の方向に移動されて、ハンドル部１６，１６の基端側の一部がそれぞれ保持壁１３と１４の間に納まるようにする。この結果、ホルダー１０の幅方向が著しく小さくされるので、このようにしても、携帯や持ち運びに便利である。
【００３４】
図４は、ホルダー１０に飲料パック１を収容して、ホルダー１０を使用している状態を示す概略斜視図である。
図示されているように、挿入用の開口１５に飲料パック１を挿入して、使用者が両手Ｈ，Ｈによって、各ハンドル部１６，１６を持つことで、飲料パック１を直接手に持った場合のように、飲料パック１を潰してしまうことなく、ストロー３を口に含んで、飲用することができる。
この時、図２で説明したように、使用者が両手Ｈ，Ｈを互いに離間させる方向に引くだけで、まち部１２，１２が変形し、内部空間Ｓの厚み方向Ｄの大きさを小さくするので、保持壁１３と１４は飲料パック１を挟みこんで、脱落しないように力を加えつつ保持することができる。
【００３５】
これに加えて、ホルダー１０の内側（内部空間Ｓ内）では、仮接着部１８が、飲料パック１の外面に仮止めされて、万一、乳幼児等の使用者が、ホルダー１０を逆さになる方向に傾けても、飲料パック１が脱落することが有効に防止される。
【００３６】
これに加えて、ホルダー１０の各ハンドル部１６，１６が、図３における領域Ａ１とＡ２が重ねられ、領域Ａ３とＡ４が重ねられて接着されて構成されているので、各ハンドル部１６，１６は少なくとも２枚のシート基材を重ねた構造とすることができるので、保持により力が加わる部分の強度が向上し、使用者が掴む上で、必要とされる好適な剛性が得られる。
【００３７】
また、各ハンドル部１６，１６が、図１に示すような使用者の手の一部を差し入れる開口２１，２２を有しており、図３で説明したように、この開口の内周の一部が、各まち部１２，１２に入り込むように形成されている。
このため、図４における使用者の手Ｈ，Ｈの内側は、図２において、厚み方向Ｄに開くように広がるまち部１２，１２にも手を添えて保持することができるので、各まち部１２，１２の三角形状となった部分により支持されることから、薄肉状のシート基材が手に食い込むことがなくて、保持しやすく、バランス的にもホルダー１０の保持状態を安定させることができる。
【００３８】
さらに、ホルダー１０を形成するためのシート状基材２０が紙により形成されている場合には、好ましくは、その外面、すなわち、図３の紙面の裏側に相当する面が撥水処理されている。この撥水処理は、例えば、シート状基材２０に、ポリプロピレン等をコーティングしたり、シート状基材２０が紙の場合に、紙にニスビキコーティング等を施すことにより実現される。
これにより、ホルダー１０の外面に、のみこぼし等により、飲料がこぼれた場合にも、破れたりして損傷されることが防止される。また、シート状基材２０の両面に、撥水処理をおこなえば、丈夫になり、折れたりして破損しにくい。
【００３９】
さらに、この飲料ホルダー１０は、上述のような作用を発揮するため、飲料パック入り飲料を販売する場合に、この飲料ホルダー１０を同時にセットとして販売するようにしてもよい。
つまり、例えば、飲料パック１を複数個まとめ、これに飲料ホルダー１０を無料で提供するようにした飲料セットを形成して販売してもよい。
これにより、飲料パック１を購入した場合に、これと共に、本実施形態の飲料ホルダー１０が提供されるから、年寄りや子供等の年齢条件等を問わずに、販売された飲料の飲用が可能となる。
この場合、飲料パック１に収容される飲料の種類は、特別のものに限られない。少なくとも、従来、この形式の飲料パック１に収容して販売されているお茶や、牛乳、ジュースや飲用水等を広く含むものである。
【００４０】
図５は、本発明の第２の実施形態にかかるホルダー３０を示す概略斜視図である。
図５において、第１の実施形態と同じ符号を付した箇所は、共通の構成であるから、重複する説明は省略し、以下、相違点を中心に説明する。
【００４１】
このホルダー３０は、全体として、シート基材が第１の実施形態のホルダー１０よりもやや柔らかい材料で形成されており、例えば、不織布製の布製シート等が使用されている。
このため、その材料の性質に基づいて、ホルダー１０のような明瞭な折り線は表れていないが、それ以外の点では、第１の実施形態と同じであり、共通した作用効果を発揮する。
【００４２】
また、特に、図５の領域Ａ５で示すように、ホルダー３０の挿入用開口１５の外周部に補強構造を施すようにしてもよい。補強構造としては、この部分のみシート状基材を複数枚重ねた構造としたり、布材料の場合には、接着剤等を含浸させたり、補強テープを施すことで実現される。
これにより、柔らかい材料でホルダー３０を形成した場合に、挿入開口１５の周囲の剛性が高まり、飲料パック１の出し入れをしやすくなり、また、出し入れに伴う損傷を生じにくい。
そして、図１のホルダー１０においても、Ａ５の領域に、同様の補強構造を施すようにしてもよい。
【００４３】
ところで本発明は上記実施の形態に限定されるものではない。
ハンドル部の形状や、ホルダー全体のプローポーションは、適宜種々の形態が採用できる。
上述の各実施形態の個別の構成は、必要により省略したり、説明しない他の構成と組み合わせてもよい。
例えば、ハンドル部１６，１６は、図３の折り線Ｌ５，Ｌ７等に沿って、容易に破断するミシン目等で構造的に弱い部分をつくり、ホルダー１０から突出した構造が、使用中や携帯中に人に当たった場合に、容易に破断するようにしてもよい。
【００４４】
【発明の効果】
以上説明したように、本発明によれば、収容した飲料を噴出させることなく、飲料パックを保持することができ、特に、簡単な構造ながら、異なる大きさの飲料パックに適合できる飲料パックホルダーと、飲料パックに収容した飲料と、飲料パックホルダーをセットした飲料セットを提供することができる。
【図面の簡単な説明】
【図１】本発明の飲料パックホルダーの第１の実施形態に係る概略斜視図。
【図２】図１の飲料パックホルダーの概略底面図。
【図３】図１の飲料パックホルダーの展開図。
【図４】図１の飲料パックホルダーの使用状態を示す概略斜視図。
【図５】本発明の飲料パックホルダーの第２の実施形態に係る概略斜視図。
【図６】飲料パックの一例を示す概略斜視図。
【符号の説明】
１０，３０・・・飲料パックホルダー、１１・・・本体、１２，１２・・・まち部、１６，１６・・・ハンドル部、１７・・・底部。
【図１】
0003952808.tif 000002
【図２】
0003952808.tif 000003
【図３】
0003952808.tif 000004
【図４】
0003952808.tif 000005
【図５】
0003952808.tif 000006
【図６】
0003952808.tif 000007